(57)【要約】【課題】防水ケース内に収容されるカメラまたはレンズ付きフィルムユニットの絞り切換部材またはストロボのオンオフスイッチ部材を操作でき、また、その切換の操作感がよく簡単な構造であるカメラ用防水ケース及び防水カメラを提供する。【解決手段】この防水ケース１０は、カメラまたはレンズ付きフィルムユニットを水密に収容可能であり、収容されるカメラまたはレンズ付きフィルムユニットのフィルム巻き上げを行うためのフィルム巻き上げノブ１２と、シャッタボタンを押圧するためのシャッタ操作部材１４と、収容されるカメラまたはレンズ付きフィルムユニットに設けられた撮影レンズの絞り切換のためのスライド部材に係合して絞り切換を可能とする絞り操作部材１３と、を備える。【選択図】  図１
2004163632.tif 000002
【特許請求の範囲】
【請求項１】
カメラまたはレンズ付きフィルムユニットを水密に収容可能であり、前記収容されるカメラまたはレンズ付きフィルムユニットのフィルム巻き上げを行うためのフィルム巻き上げノブと、シャッタボタンを押圧するためのシャッタ操作部材と、を備えるカメラ用防水ケースにおいて、
前記収容されるカメラまたはレンズ付きフィルムユニットに設けられた撮影レンズの絞り切換のための絞り切換部材に係合して前記絞り切換を可能とする絞り操作部材を備えることを特徴とするカメラ用防水ケース。
【請求項２】
前記絞り切換部材は直線的に移動するスライド部材を備え、前記絞り操作部材は回動軸を中心に回動し前記スライド部材を移動させるように係合する回動部材を備えることを特徴とする請求項１に記載のカメラ用防水ケース。
【請求項３】
前記スライド部材はデッドポイントを中心として移動範囲の両方向に付勢力を与えるバネ部材により付勢されるように設けられ、
前記絞り操作部材は前記スライド部材を前記移動範囲の一方端から前記デッドポイントを超えるが他方端には達しない位置までの移動を与えることを特徴とする請求項１または２に記載のカメラ用防水ケース。
【請求項４】
前記他方端には達しない位置から前記他方端までの移動は前記バネ部材の付勢力により行うように前記絞り操作部材と前記スライド部材との係合に遊び部を設けたことを特徴とする請求項３に記載のカメラ用防水ケース。
【請求項５】
前記絞り操作部材は１８０度の範囲内で回動するように設けられたことを特徴とする請求項２，３または４に記載のカメラ用防水ケース。
【請求項６】
前記絞り操作部材は前記回動軸に対して半径方向に最も離れた突出部を有し、前記カメラの絞りを大絞りとしたときには前記突出部がカメラの下方面を向くように構成したことを特徴とする請求項５に記載のカメラ用防水ケース。
【請求項７】
前記回動部材はケース側に設けられた凹部に対し係止し係止解除可能な突起部を有する回動ホルダを有し、前記回動部材を所定位置に回動したとき、前記回動ホルダの突起部が前記凹部で係止されるように構成したことを特徴とする請求項２乃至６のいずれか１項に記載のカメラ用防水ケース。
【請求項８】
前記絞り切換部材が前記収容されるカメラまたはレンズ付きフィルムユニットに設けられたストロボのオンオフ切換のためのストロボスイッチ部材を兼用し、前記絞り切換部材が前記ストロボのオンオフ切換を可能とすることを特徴とする請求項１乃至７のいずれか１項に記載のカメラ用防水ケース。
【請求項９】
カメラまたはレンズ付きフィルムユニットを水密に収容可能であり、前記収容されるカメラまたはレンズ付きフィルムユニットのフィルム巻き上げを行うためのフィルム巻き上げノブと、シャッタボタンを押圧するためのシャッタ操作部材と、を備えるカメラ用防水ケースにおいて、
前記収容されるカメラまたはレンズ付きフィルムユニットに設けられたストロボのオンオフ切換のためのストロボスイッチ部材に係合して前記ストロボのオンオフ切換を可能とするストロボ操作部材を備えることを特徴とするカメラ用防水ケース。
【請求項１０】
前記ストロボスイッチ部材は直線的に移動するスライド部材を備え、前記ストロボ操作部材は回動軸を中心に回動し前記スライド部材を移動させるように係合する回動部材を備えることを特徴とする請求項９に記載のカメラ用防水ケース。
【請求項１１】
前記スライド部材はデッドポイントを中心として移動範囲の両方向に付勢力を与えるバネ部材により付勢されるように設けられ、
前記ストロボ操作部材は前記スライド部材を前記移動範囲の一方端から前記デッドポイントを超えるが他方端には達しない位置までの移動を与えることを特徴とする請求項９または１０に記載のカメラ用防水ケース。
【請求項１２】
前記他方端には達しない位置から前記他方端までの移動は前記バネ部材の付勢力により行うように前記ストロボ操作部材と前記スライド部材との係合に遊び部を設けたことを特徴とする請求項１１に記載のカメラ用防水ケース。
【請求項１３】
前記ストロボ操作部材は前記回動軸に対して半径方向に最も離れた突出部を有し、前記ストロボをオンしたときには前記突出部がカメラの下方面を向くように構成したことを特徴とする請求項１１、１２または１３に記載のカメラ用防水ケース。
【請求項１４】
前記回動部材はケース側に設けられた凹部に対し係止し係止解除可能な突起部を有する回動ホルダを有し、前記回動部材を前記ストロボのオン位置に回動したとき、前記回動ホルダの突起部が前記凹部で係止されるように構成したことを特徴とする請求項１０に記載のカメラ用防水ケース。
【請求項１５】
請求項１乃至１４のいずれか１項に記載のカメラ用防水ケース内にカメラまたはレンズ付きフィルムユニットを収容したことを特徴とする防水カメラ。
【発明の詳細な説明】
【０００１】
【発明の属する技術分野】
本発明は、カメラを水中等で使用するときに好適なカメラ用防水ケース、及びこの防水ケースを用いた防水カメラに関する。
【０００２】
【従来の技術】
カメラを水中で使用するために水密に収容するカメラ用防水ケースとして、例えば、前面容器と背面容器とをゴムパッキン等で密閉するように結合した防水ケースが公知である（例えば、特開２００１−１００２９２公報、特開２００１−９１９９５公報、特開２００１−９１９９６公報、特開平９−２０３９４９号公報）。一方、撮影レンズの絞りを切り換えるようにした絞り切換部材を設けたレンズ付きフィルムユニットが公知である（例えば、特開２０００−３０５２２２公報）。
【０００３】
しかし、カメラ用防水ケースについて上述の各公報は、上記絞り切換部材を有するレンズ付きフィルムユニットを収容する場合の絞り切換に関する構成を開示していない。従って、従来例によれば、絞り切換部材のあるレンズ付きフィルムユニットを防水ケースに収容しても、その絞り切換部材が使用不可能となり、絞り切換機能を充分に用いることができずに不便である。また、防水ケースは、水中等で使用されるためその切換の操作感がよく簡単な構造のものが望まれる。かかる問題はストロボのオンオフスイッチについても同様である。
【０００４】
【特許文献１】
特開２００１−１００２９２公報
【０００５】
【特許文献２】
特開２００１−９１９９５公報
【０００６】
【特許文献３】
特開２００１−９１９９６公報
【０００７】
【特許文献４】
特開平９−２０３９４９号公報
【０００８】
【特許文献５】
特開２０００−３０５２２２公報
【０００９】
【発明が解決しようとする課題】
本発明は、防水ケース内に収容されるカメラまたはレンズ付きフィルムユニットの絞り切換部材またはストロボのオンオフスイッチ部材を操作でき、また、その切換の操作感がよく簡単な構造であるカメラ用防水ケース及び防水カメラを提供することを目的とする。
【００１０】
【課題を解決するための手段】
上記目的を達成するために、本発明によるカメラ用防水ケースは、カメラまたはレンズ付きフィルムユニットを水密に収容可能であり、前記収容されるカメラまたはレンズ付きフィルムユニットのフィルム巻き上げを行うためのフィルム巻き上げノブと、シャッタボタンを押圧するためのシャッタ操作部材と、を備えるカメラ用防水ケースにおいて、前記収容されるカメラまたはレンズ付きフィルムユニットに設けられた撮影レンズの絞り切換のための絞り切換部材に係合して前記絞り切換を可能とする絞り操作部材を備えることを特徴とする。
【００１１】
このカメラ用防水ケースによれば、防水ケース内に収容されたカメラまたはレンズ付きフィルムユニットの絞り切換部材を絞り操作部材により操作することができる。
【００１２】
上記カメラ用防水ケースにおいて、前記絞り切換部材は直線的に移動するスライド部材を備え、前記絞り操作部材は回動軸を中心に回動し前記スライド部材を移動させるように係合する回動部材を備えることが好ましい。回動部材を回動することで絞り切換部材のスライド部材を移動させるので、簡単な構造でその切換の操作感を向上できる。
【００１３】
また、前記スライド部材はデッドポイントを中心として移動範囲の両方向に付勢力を与えるバネ部材により付勢されるように設けられ、前記絞り操作部材は前記スライド部材を前記移動範囲の一方端から前記デッドポイントを超えるが他方端には達しない位置までの移動を与えることが好ましい。この場合、前記他方端には達しない位置から前記他方端までの移動は前記バネ部材の付勢力により行うように前記絞り操作部材と前記スライド部材との係合に遊び部を設けることが好ましい。これにより、回動部材の回動によるスライド部材の移動を途中からバネ部材の付勢による移動に変えることができるので、スライド部材が円滑にかつ確実に移動できる。
【００１４】
また、前記絞り操作部材は１８０度の範囲内で回動するように設けられることが好ましい。この場合、前記絞り操作部材は前記回動軸に対して半径方向に最も離れた突出部を有し、前記カメラの絞りを大絞りとしたときには前記突出部がカメラの下方面を向くように構成することが好ましく、例えば水中で使用する場合に、突出部が下方面にあることを使用者が手触りで分かり、絞りの位置を簡単に確認できる。
【００１５】
また、前記回動部材はケース側に設けられた凹部に対し係止し係止解除可能な突起部を有する回動ホルダを有し、前記回動部材を所定位置に回動したとき、前記回動ホルダの突起部が前記凹部で係止されるように構成することが好ましい。これにより、回動部材を回動させて所定位置（例えば、上記大絞り位置）に達すると、そこで回動部材が係止するので、回動部材の不測な回動を防止でき、また、回動の際に所定位置でクリック感を得ることができ、操作感がよくなる。
【００１６】
また、前記絞り切換部材が前記収容されるカメラまたはレンズ付きフィルムユニットに設けられたストロボのオンオフ切換のためのストロボスイッチ部材を兼用し、前記絞り切換部材が前記ストロボのオンオフ切換を可能とするように構成できる。
【００１７】
本発明による別のカメラ用防水ケースは、カメラまたはレンズ付きフィルムユニットを水密に収容可能であり、前記収容されるカメラまたはレンズ付きフィルムユニットのフィルム巻き上げを行うためのフィルム巻き上げノブと、シャッタボタンを押圧するためのシャッタ操作部材と、を備えるカメラ用防水ケースにおいて、前記収容されるカメラまたはレンズ付きフィルムユニットに設けられたストロボのオンオフ切換のためのストロボスイッチ部材に対し係合して前記ストロボのオンオフ切換を可能とするストロボ操作部材を備えることを特徴とする。
【００１８】
このカメラ用防水ケースによれば、防水ケース内に収容されたカメラまたはレンズ付きフィルムユニットのストロボスイッチ部材をストロボ操作部材により操作することができる。
【００１９】
上記カメラ用防水ケースにおいて、前記ストロボスイッチ部材は直線的に移動するスライド部材を備え、前記ストロボ操作部材は回動軸を中心に回動し前記スライド部材を移動させるように係合する回動部材を備えることが好ましい。これにより、回動部材を回動することでストロボスイッチ部材のスライド部材を移動させるので、簡単な構造でその切換の操作感を向上できる。
【００２０】
また、前記スライド部材はデッドポイントを中心として移動範囲の両方向に付勢力を与えるバネ部材により付勢されるように設けられ、前記ストロボ操作部材は前記スライド部材を前記移動範囲の一方端から前記デッドポイントを超えるが他方端には達しない位置までの移動を与えることが好ましい。この場合、前記他方端には達しない位置から前記他方端までの移動は前記バネ部材の付勢力により行うように前記ストロボ操作部材と前記スライド部材との係合に遊び部を設けることが好ましい。これにより、回動部材の回動によるスライド部材の移動を途中からバネ部材の付勢による移動に変えることができるので、スライド部材が円滑にかつ確実に移動できる。
【００２１】
また、前記ストロボ操作部材は前記回動軸に対して半径方向に最も離れた突出部を有し、前記ストロボをオンしたときには前記突出部がカメラの下方面を向くように構成することが好ましく、例えば水中で使用する場合に、突出部が下方面にあることを使用者が手触りで分かり、ストロボオンの位置を簡単に確認できる。
【００２２】
また、前記回動部材はケース側に設けられた凹部に対し係止し係止解除可能な突起部を有する回動ホルダを有し、前記回動部材を前記ストロボのオン位置に回動したとき、前記回動ホルダの突起部が前記凹部で係止されるように構成することが好ましい。これにより、回動部材を回動させて所定位置（例えば、上記ストロボのオン位置）に達すると、そこで回動部材が係止するので、回動部材の不測な回動を防止でき、また、回動の際に所定位置でクリック感を得ることができ、使用勝手がよくなる。
【００２３】
本発明による防水カメラは、上述のカメラ用防水ケース内にカメラまたはレンズ付き防水フィルムユニットを収容したものである。この防水カメラによれば、カメラまたはレンズ付き防水フィルムユニットの絞り切換部材またはストロボスイッチ部材を絞り操作部材またはストロボ操作部材により操作できる。これにより、水中や水辺等で使用する際に、カメラまたはレンズ付き防水フィルムユニットが有する絞り機能またはストロボ機能のカメラ機能を利用できる。
【００２４】
【発明の実施の形態】
以下、本発明による実施の形態について図面を用いて説明する。図１は本実施の形態による、レンズ付きフィルムユニットを収容するカメラ用防水ケースを示す斜視図である。図２は図１のカメラ用防水ケースを外側部材が離れた状態で示す前面側から見た分解斜視図であり、図３は同じく背面側から見た分解斜視図である。
【００２５】
図１に示すように、カメラ用防水ケース１は、内部にレンズ付きフィルムユニットを収容する防水ケース１０と、防水ケース１０の上側半分に取り付けられた第１外側部材５１と、防水ケース１０の下半分に取り付けられた第２外側部材６１と、を備える。
【００２６】
図１乃至図３のように、防水ケース１０は、内部に収容するレンズ付きフィルムユニットの各カメラ機能に対応して、撮影窓部１１と、フィルムを巻き上げるフィルム巻き上げノブ１２と、絞り切換のための絞り操作部材１３と、シャッタボタンを押圧するためのシャッタ操作部材１４と、ファインダ窓部１５と、ファインダ覗き部１６と、を備える。
【００２７】
防水ケース１０は、光透過性のプラスチック材料から略矩形の平箱状に構成され、前面側の第１ケース２１と背面側の第２ケース２２とを結合部２０で水密構造となるように結合し、レンズ付きフィルムユニットを収容可能な内部空間を形成している。結合部２０は、防水ケース１０の上面、両側面及び下面の全周を包囲して突き出し部として直線状に形成されている。
【００２８】
第１外側部材５１及び第２外側部材６１は、光透過性のプラスチック材料から形成され、外側部材を構成し、防水ケース１０の上面、両側面及び下面を包囲するように取り付けられる。第１外側部材５１及び第２外側部材６１の各内面には溝部５２（図２，図３の破線で示す）及び６２が防水ケース１０の結合部２０に対応する位置で長手方向に延びるように形成されている。
【００２９】
また、第１外側部材５１と第２外側部材６１とを防水ケース１０に取り付けたとき、第１外側部材５１の両側面端部に設けられた第１係合部５３と、第２外側部材６１の両側面端部に設けられた第２係合部６３とが互いに対向し係合して係合部６０を形成する。この係合部６０により外側部材の外れ、特に図の縦方向（側面に沿った方向）に外れてしまうことを防止できる。
【００３０】
また、図２，図３のように、防水ケース１０の第１ケース２１の前面には、それぞれ平面的に所定形状で外側部材の厚み程度に凹んだ複数の凹部２１ａ、２１ｂ、２１ｃが形成され、同様に第２ケース２２の背面には、それぞれ平面的に所定形状で外側部材の厚み程度に凹んだ複数の凹部２２ａ、２２ｂ、２２ｃが形成されている。そして、第１外側部材５１には、防水ケース１０側の凹部２１ａ、２２ｂに対応してそれぞれ相補的形状となるように張り出した張り出し部５１ａ、５１ｂが形成され、同様に第２外側部材６１には、防水ケース１０側の凹部２１ｂ、２１ｃ、２２ａ、２２ｃに対応してそれぞれ相補的形状となるように張り出した張り出し部６１ｂ、６１ｃ、６１ａ、６２ｃが形成されている。
【００３１】
第１外側部材５１と第２外側部材６１とを防水ケース１０に取り付けると、防水ケース１０側の凹部２１ａ、２２ｂ、２１ｂ、２１ｃ、２２ａ、２２ｃにそれぞれ外側部材の張り出し部５１ａ、５１ｂ、６１ｂ、６１ｃ、６１ａ、６２ｃが位置するので、図１に示すように、カメラ用防水ケース１の外面全体は、凹凸の殆どない滑らかな外観形状を構成する。
【００３２】
次に、防水ケース１０を構成する前面側の第１ケース２１及び背面側の第２ケース２２について図４，図５，図６を参照して説明する。図４は第１ケースを内面側から見た図であり、図５は第２ケースを内面側から見た図である。図６は第１ケースと第２ケースとを結合したときの結合部の断面図である。
【００３３】
図４のように、第１ケース２１は、平箱凹状に形成され、外周端部の全周にわたり上面、両側面及び下面側に突き出るようにして設けられた鍔部２３と、鍔部２３の内面側近傍に全周にわたり第２ケース２２側に突き出るようにして設けられた凸部２４と、を有する。また、第１ケース２１には、図１乃至図３に示すフィルム巻き上げノブ１２、絞り操作部材１３及びシャッタ操作部材１４に対応して、巻き上げノブ用孔２５、絞り操作部材１３の取り付け部２６、及びシャッタ用孔２９が形成されている。
【００３４】
図５のように、第２ケース２２は、トレイ状に第１ケース２１の外周形状に対応して形成され、外周端部の全周にわたり鍔部２３と対応して突き出るようにして設けられた鍔部２７と、鍔部２７の内面側近傍に全周にわたりゴムパッキン等からなる水密部材３０（図６）が収められ凸部２４が入り込むように凹状に形成された溝２８と、を有する。
【００３５】
図６のように、第２ケース２２を第１ケース２１に結合部２０で結合すると、第２のケースの溝２８内に水密部材３０を収めた状態で第１ケース２１の凸部２４が溝２８内の水密部材３０を外周外側に押し広げるようにして溝２８に嵌り込むことで、水密部材３０が溝２８内の外周側内面２８ａに押し付けられて弾性的に変形し、断面円形状が扁平状に押し潰される。このようにして、凸部２４が全周で溝２８に嵌り込み、水密部材３０が溝２８の全周にわたって弾性変形し溝２８内に密着することで、第１ケース２１と第２ケース２２とが結合部２０で嵌合し水密に結合される。
【００３６】
次に、外側部材の係合部６０について図７，図８を参照して説明する。図７は第２外側部材６１の第２係合部６３を示す部分斜視図であり、図８は、図１の係合部６０の係合状態を縦方向に切断し内面側から見た図である。
【００３７】
図７、図８のように、第２外側部材６１の第２係合部６３は、第２外側部材６１の側端部から上部に半円状に突き出たリング状部６９と、リング状部６９の内側に側面側に突き出て円形状に形成された円形突き出し部６４と、リング状部６９とその内周側の円形突き出し部６４との間に互いを分断するように円周上に分割されて形成された複数のリング状孔６６と、を有する。
【００３８】
第２係合部６３は、更に、リング状部６９と円形突き出し部６４とを複数のリング状孔６６間で比較的容易に破断可能なサイズで連結する破断可能連結部６７と、第２外側部材６１の側端部から下方に形成され側面側に半円状に突き出てリング状部６９よりも大径の半円状凸部６８と、を有する。
【００３９】
また、図２，図３，図８のように、第１外側部材５１の第１係合部５３は、第１外側部材５１の側端部から下部に半円状に突き出たリング状部５４と、リング状部５４の内周に円形状に形成された係合孔５５と、を有する。リング状部５４は、図８のように、第１外側部材５１の側面側に突き出ており、係合孔５５内に第２係合部６３の円形突き出し部６４が入り込むとともに半円状凸部６８の内周側に位置し、この位置で互いが係合するようになっている。
【００４０】
外側部材の第１係合部５３と第２係合部６３とが係合すると、図１、図８のように、第１係合部５３側のリング状部５４が第２係合部６３のリング状部６９や複数のリング状孔６６を覆うように位置し、第２係合部６３側の円形突き出し部６４だけが係合孔５５を通して側面側に露出する。このため、上述のように形成された係合部６０での係合を外部からの手操作では解除できないようになっている。
【００４１】
この場合、第２係合部６３の円形突き出し部６４の直径方向には細長孔６５が形成されており、細長孔６５にマイナスドライバ等を差し込み回すことで、連結部６７を比較的容易にねじ切り破断できるようになっており、これにより、係合部６０における係合を解除できる。
【００４２】
次に、防水ケース１０に第１外側部材５１及び第２外側部材６１を取り付けるときの案内構造及び逆付け防止構造について図９等を参照して説明する。図９は防水ケースを第１のケース前面側から見た部分斜視図である。
【００４３】
図２，図３，図９のように、防水ケース１０には、第１のケース２１の前面の両側端の近傍に縦方向に延びる案内溝３２，３３が縦方向に形成されており、同様に第２のケース２２の背面の両側端の近傍に縦方向に延びる案内溝３１，３４が縦方向に延びるようにして形成されている。各案内溝３１乃至３４は外側部材側の案内凸部が入り込むことができるようにそれらの溝端が開放されている。
【００４４】
一方、外側部材には、図２，図３の第２外側部材６１のように、内面側の案内溝３１乃至３４に対応する位置に縦方向に延びるようにして案内凸部７１，７２，７３，７４が形成されている。第１外側部材５１の内面にも同様の案内凸部が案内溝３１乃至３４に対応して設けられている。
【００４５】
上述のような防水ケース１０側の案内溝３１乃至３４と外側部材側の案内凸部７１乃至７４とから構成される案内構造によれば、第１外側部材５１及び第２外側部材６１を防水ケース１０に取り付けるとき、防水ケース１０の案内溝３１乃至３４に外側部材側の案内凸部７１乃至７４が入り込んで案内するので、取付を容易かつ確実に行うことができる。
【００４６】
また、案内凸部７１，７２，７３，７４の各位置を、例えば第２外側部材６１を、１８０度反対にして誤って取り付けようとしたとき、また第１外側部材５１と間違って上部に取り付けようとしたときのように、反対取り付け及び部材間違いのいずれの場合にも案内溝とずれる位置関係とし、正規の案内溝３１，３２，３３，３４だけに案内されるようにすることで、逆付け防止構造を構成できる。
【００４７】
また、案内溝３１，３２，３３，３４の各位置を反対取り付け及び部材間違いの場合に案内凸部とずれる位置関係とすることで同様の逆付け防止構造を構成できる。
【００４８】
また、上述の案内構造によれば、第１外側部材５１及び第２外側部材６１を防水ケース１０に取り付けたとき、防水ケース１０の案内溝３１乃至３４に外側部材側の案内凸部７１乃至７４がそれぞれは入り込んでいるので、外側部材の外れ、特に、防水ケース１０の横方向に広げられて外れることを防止する外側部材の外れ防止構造をも構成する。
【００４９】
また、上述のように、防水ケース１０の表面に形成された複数の凹部２１ａ、２１ｂ、２１ｃ、２２ａ、２２ｂ、２２ｃに、図１，図２，図３に示すように、外側部材の張り出し部５１ａ、５１ｂ、６１ｂ、６１ｃ、６１ａ、６２ｃがはまり込んで位置するとき、反対取り付け及び部材間違いの場合に、各凹部及び各張り出し部をはまり込み不可能または隙間ができるような形状とすることで、逆付け防止構造を構成してもよい。
【００５０】
次に、上述の防水ケースの組立て及び外側部材の防水ケースへの取付けについて図１乃至図１０を参照して説明する。図１０は外側部材を防水ケースに取付けたときの要部断面図である。
【００５１】
まず、図４のような第１ケース２１内に、図１乃至図３の巻き上げノブ１２と、絞り操作部材１３及びシャッタ操作部材１４を取り付けてからレンズ付きフィルムユニットを収め、図５の第２ケース２２を図６のようにはめ込んで結合し、防水ケース１０を得る。
【００５２】
次に、図２，図３のように、第２の外側部材６１を防水ケース１０の下面側から差し込むようにして取り付け、そして第１の外側部材５１を防水ケース１０の上面側から差し込むようにして取り付ける。このとき、第１の外側部材５１の第１係合部５３のリング状部５４が弾性変形し第２の外側部材６１の第２係合部６３の円形突き出し部６４を越え、図８のように、リング状部５４の内周の係合孔５５内に円形突き出し部６４がはめ込まれる。このようにして係合部６０が形成され、第１の外側部材５１と第２の外側部材６１とが一体となり外側部材を形成し、両者を引き離すことができない。
【００５３】
そして、図１，図８のように、リング状部５４が第２係合部６３のリング状部６９や複数のリング状孔６６を覆うとともに円形突き出し部６４だけが係合孔５５を通して側面側に露出する。これにより、係合部６０における係合を外部からの手操作では解除できないので、第１の外側部材５１と第２の外側部材６１とが不測に外れてしまうことを防止できる。
【００５４】
なお、第１の外側部材５１と第２の外側部材６１とを防水ケース１０から取り外すときは、側面側に露出した円形突き出し部６４の細長孔６５にマイナスドライバ等を差し込み回すことで連結部６７をねじ切り破断し、円形突き出し部６４を除去することで係合部６０における係合を解除する。
【００５５】
また、第１の外側部材５１及び第２の外側部材６１を防水ケース１０に取り付けると、図１０のように防水ケース１０の側面側に突き出た結合部２０がほぼ全周にわたって第１の外側部材５１及び第２の外側部材６１の内面にある溝部５２，６２内に収まる。これにより、防水ケース１０の結合部２０を溝部５２，６２で覆うようにしてほぼ全周にわたって固定でき、更に図６のような結合部２０の結合を溝部５２，６２で良好に維持できるので、防水ケース１０の結合部２０における水密性を向上できる。
【００５６】
また、第２ケース２２と第１ケース２１との結合部２０は第２のケースの溝２８内に第１ケース２１の凸部２４が嵌り込む嵌合構造となっており、この嵌合構造が溝部５２，６２内で良好に維持できるので、水密性を更に向上できる。
【００５７】
また、図２，図３，図９のように、防水ケース１０の鍔状に突き出た結合部２０の第１ケース２１の前面側段部には、図の縦方向に延びた薄肉突起部３８が両端に形成され、同様に、第２ケース２２の背面側段部には、図の縦方向に延びた薄肉突起部３９が両端に形成されている。これらの薄肉突起部３８、３９は、結合部２０が外側部材の溝部５２，６２内に位置するときに、同じく溝部５２，６２内にあることで、結合部２０と溝部５２，６２とが隙間なく密着することで、外側部材による結合部２０の固定が一層確実となる。
【００５８】
また、上述の防水ケース１０内にレンズ付きフィルムユニットを収容しすることで防水カメラを構成できるが、この防水カメラによれば、上述のように防水ケース１０の水密性が向上するので、水中や水辺等で使用しても内部のカメラ機能を損なうことなく安定して続けて使用でき、特に、水深の深い（例えば水深５０ｍ程度）水中で使用可能に構成できる。
【００５９】
次に、防水ケース１０に収容可能なレンズ付きフィルムユニットについて図１１乃至図１５により説明する。図１１はレンズ付きフィルムユニットを前面側から見た分解斜視図であり、図１２は図１１のレンズ付きフィルムユニットにおいて外装部品を外した状態を示す正面図であり、図１３は図１２と同じく外装部品を外した状態を示す正面図であり、図１４は図１１のレンズ付きフィルムユニットのスライド部材を前面側から見た要部斜視図であり、図１５は図１１のレンズ付きフィルムユニットのシャッタユニットの分解斜視図である。
【００６０】
図１１に示すように、レンズ付きフィルムユニット１００は、フィルムを保持し、シャッタユニット、ストロボユニット、及び巻上げ機構等の各種の撮影機構を搭載したユニット本体１０１、ユニット本体１０１を前方から被覆する前カバー１０２、及びユニット本体１０１を後方から被覆する後カバー１０３を備える。
【００６１】
ユニット本体１０１は、ストロボユニット１２０、及び手動操作で左右方向に自在に摺動してストロボユニット１２０を作動させかつ絞りを切り換える絞り切換部材としてスライド部材１４０を有する。スライド部材１４０は、図１１，図１４に示すように、前カバー１０２に設けた長孔２ａから突出する操作部４ａを有し、操作部４ａを左右に移動させてスライド部材１４０を図１２及び図１３に示す左右の２カ所の位置に摺動させることができる。操作部４ａの内側には係合穴４ｂが形成されている。
【００６２】
図１１のように、ユニット本体１０１は左右方向に平行な２本のリブ１ａを有し、スライド部材１４０の裏面に同様に設けた２本のリブ（図示省略）がリブ１ａと嵌合し、スライド部材１４０はリブ１ａに案内されて円滑に摺動する。
【００６３】
図１１乃至図１３のように、ストロボユニット１２０のプリント基板１２１にはストロボ回路の電源をオンにし、ストロボ回路を作動状態にするメインスイッチ１２２が配置されている。メインスイッチ１２２は電気導通性を有する金属板から形成され、先端に二股部を有している。そして、スライド部材１４０の裏面に設けたリブ（図示省略）により、メインスイッチ１２２を押圧することによって、メインスイッチ１２２の先端の二股部がプリント基板１２１の二つの導電性パターンに接触し、ストロボ回路の電源がオンになる。即ち、スライド部材１４０を図１２のように左方に摺動させたときにメインスイッチ１２２がオフになり、スライド部材１４０を図１３のように右方に摺動させて右端を突出させたときにメインスイッチ１２２がオンになる。
【００６４】
図１１乃至図１３のように、ユニット本体１０１の一端に設けられロールフィルム室１１４にはフィルムを巻き取るリールが配置され、他端に設けられたパトローネ室１１５にはパトローネが装填されている。撮影前にはパトローネから引き出された未露光のフィルムが全てロールフィルム室１１４内のリールに巻き取られており、撮影時にはフィルム巻上げノブ１１６を巻上げることにより、露光済みのフィルムを１コマずつパトローネ室１１５内のパトローネの中に巻き取る。
【００６５】
図１５に示すように、シャッタユニット１７０は、比較的明るいＦ値を有する２枚構成の撮影レンズＬ１，Ｌ２、二つの絞り孔１３ａ，１３ｂを有する絞り切換部１１３、及び図１１乃至図１３のシャッタボタン１５５を押圧しシャッタ機構（図示省略）を介して開閉作動するシャッタ羽根１１２等を保持している。
【００６６】
シャッタ地板１１１は、撮影レンズＬ１，Ｌ２によりフィルム面に結像する被写体像を透過させる開口１１ａと、２段の太さの回動軸１１ｂとを有し、回動軸１１ｂの奥にて４カ所が切り欠かれた太い軸にはシャッタ羽根１１２の回動孔１２ｃが嵌合し、回動軸１１ｂの先端の細い軸には絞り切換部１１３の回動孔１３ｃが嵌合している。このため、シャッタ羽根１１２と絞り切換部１１３は回動軸１１ｂに対して同軸に嵌合していて、しかもシャッタ羽根１１２はシャッタ地板１１１と絞り切換部１１３とが成す空隙を回動するので、シャッタ地板１１１は簡単な構成になっている。
【００６７】
シャッタ羽根１１２の先端には二股部１２ｂが設けられ、図１２及び図１３に一部が描かれているチャージ部材の先端が係合し、シャッタレリーズによって急速に反時計方向に回動した後、時計方向に回動することによって、開口１１ａに対して撮影レンズＬ１，Ｌ２からの光束を開閉する。
【００６８】
ねじりコイルばね１０４が撮影レンズＬ１，Ｌ２の光軸に対して絞り切換部１１３の絞り孔１３ａ，１３ｂを何れかに切り換えるべく、相反する二方向に付勢し、一端１４ａが絞り切換部１１３のばね掛けピン１３ｄに係合し、他端１４ｂがシャッタ地板１１１の軸１１ｃに係合している。絞り切換部１１３の絞り孔１３ａ，１３ｂが、それぞれ大絞り及び小絞りを構成する。
【００６９】
また、絞り切換部１１３の下部に突出した係合ピン１３ｅにスライド部材１４０の左端の二股部４ｄが係合している。従って、スライド部材１４０を図１２の状態から右方Ｈに摺動操作すると、絞り切換部１１３はねじりコイルばね１０４の付勢力に抗して反時計方向に回動し、略中央の回動位置で付勢方向が反転し、その後はねじりコイルばね１０４の付勢力によって反時計方向に回動し、図１３のように大絞りの絞り孔１３ａに切り換わり、絞り切換部１１３のばね掛けピン１３ｄの基部がストッパー１１ｆに当接する。このとき、スライド部材１４０は右方に摺動しているので、メインスイッチ１２２はオンとなってストロボユニット１２０が充電を開始する。
【００７０】
また、スライド部材１４０を図１３の状態から左方Ｈ’に摺動操作すると、絞り切換部１１３はねじりコイルばね１０４の付勢力に抗して時計方向に回動し、略中央の回動位置で付勢方向が反転し、その後はねじりコイルばね１０４の付勢力によって時計方向に回動し、図１２のように小絞りの絞り孔１３ｂに切り換わり、絞り切換部１１３のばね掛けピン１３ｄの基部がストッパー１１ｇに当接する。このとき、スライド部材１４０は左方に摺動しているので、メインスイッチ１２２はオフとなっている。このようにばね掛けピン１３ｄの基部、即ちばね掛け部をストッパーに当接することで、絞り切換部１１３のあおりを小さくして精度良く位置決めを行うようにしている。
【００７１】
図１５のように、撮影レンズＬ１，Ｌ２は撮影レンズ保持枠１５０に挿入され、レンズ押さえ１６０が撮影レンズ保持枠１５０に係合することで撮影レンズＬ１，Ｌ２が撮影レンズ保持枠１５０に保持されている。撮影レンズ保持枠１５０をシャッタ地板１１１に係着することによってシャッタ羽根１１２、絞り切換部１１３を光軸方向に所定の間隙を有して回動可能に保持すると共に、シャッタ羽根１１２、絞り切換部１１３、ねじりコイルばね１０４を略被覆し、開口１１ａへの不要光を遮光している。
【００７２】
上述のように、レンズ付きフィルムユニット１００のスライド部材１４０は、撮影レンズの絞り切換のための絞り切換部材と、ストロボのオンオフ切換のためのストロボスイッチ部材とを兼用する。
【００７３】
次に、図１乃至図３に示す防水ケース１０に設ける絞り操作部材１３について図１６乃至図２０により説明する。図１６は絞り操作部材１３を背面側から見た斜視図、図１７は絞り操作部材１３を防水ケース１０の第１ケース２１に取り付けた状態を内面側から見た要部斜視図、図１８は図１７の取り付け状態を防水ケースの縦方向に切断した要部断面図、図１９は図１７の取り付け状態で絞り操作部材１３と図１１乃至図１４のスライド部材１４０との取り付け関係を前面側から見た斜視図、図２０は図１９と同じく背面側から見た斜視図である。
【００７４】
図１６乃至図２０に示すように、絞り操作部材１３は、防水ケース１０の外面側に回動可能に位置し、半径方向に突き出た突出部２０３ａを有する回動操作部２０３と、防水ケース１０の内面側に凹んで形成された取り付け部２６（図４）内に収まるように位置し、レンズ付きフィルムユニット１００のスライド部材１４０（図１１乃至図１４）の操作部４ａの係合穴４ｂと係合しスライド部材１４０をスライドさせて切り換える係合棒２０２ａを有する切換リング２０２と、切換リング２０２を回動自在に保持し、ねじ２０４により回動操作部２０３の回動軸２０３ｂに固定され、ねじ２０４を回動中心にして回動操作部２０３と一体に回動する回動ホルダ２０１と、を備える。
【００７５】
図１８のように、防水ケース１０の外面側と回動操作部２０３の内面側との間にゴムパッキン等からなる水密部材２０５を配置することで取り付け部２６における水密性を確保している。
【００７６】
切換リング２０２は、円形平板上に台座部２０２ｂ及び２０２ｃがねじ２０４を挟んで互いに１８０度反対の位置に一体に設けられ、台座部２０２ｃの上に係合棒２０２ａが一体に設けられており、防水ケース１０の内面の取り付け部２６と回動ホルダ２０１との間でねじ２０４を回転中心に回転自在になっている。
【００７７】
回動ホルダ２０１は、ねじ２０４を挟んで対称形に形成された略扇形状部２０６，２０７を有し、略扇形状部２０６，２０７の外方に突き出るようにして係止凸部２０６ｂ，２０７ｂが、ねじ２０４を挟んで互いに１８０度反対の位置に形成されている。
【００７８】
回動ホルダ２０１が回動操作部２０３により回動すると、所定の回動位置で係止凸部２０６ｂ，２０７ｂが第１ケース２１の取り付け部２６に凹んで互いに１８０度離れて形成された係止凹部２６ａ、２６ｂに係合して回動ホルダ２０１の回動が係止される。また、回動ホルダ２０１は回動操作部２０３とともに第１ケース２１の取り付け部２６に対し係止凹部２６ａと２６ｂとの間の１８０度の範囲内で回動可能になっている。
【００７９】
図１７のように、回動ホルダ２０１の略扇形状部２０６と２０７との間はそれぞれ扇状に切り欠かれて切り欠き部２１０，２１１が形成され、各切り欠き部２１０，２１１内に切換リング２０２の台座部２０２ｂ及び２０２ｃが位置する。回動ホルダ２０１の扇状の切り欠き部２１０，２１１は台座部２０２ｂ及び２０２ｃよりも円周方向に大きいので、回動ホルダ２０１の切り欠き部２１０，２１１内には台座部２０２ｂ及び２０２ｃの遊び部が形成される。このため、切換リング２０２の台座部２０２ｂ及び２０２ｃは切り欠き部２１０，２１１内で回転自在の状態にある。
【００８０】
例えば、図１７で回動ホルダ２０１が回動操作部２０３により回動方向ｒに回動したとき、回動ホルダ２０１の略扇形状部２０６が切換リング２０２の台座部２０２ｃ及び係合棒２０２ａから離れるように回動し、略扇形状部２０７が台座部２０２ｃに当接するまで切換リング２０２は遊び状態であり係合棒２０２ａは回動しないが、遊び部が終わり当接すると回動ホルダ２０１の更なる回動方向ｒへの回動により係合棒２０２ａも回動方向ｒに回動する。
【００８１】
切換リング２０２の係合棒２０２ａは、絞り操作部材１３の防水ケース１０への取り付け状態で、図１８，図１９のようにスライド部材１４０の係合穴４ｂ内に入り込むが、操作部４ａの係合穴４ｂは縦長に係合棒２０２ａの径よりも幅広に形成されているので、係合穴４ｂ内における係合棒２０２ａの回動がスライド部材１４０の直線移動に変換され、スライド部材１４０が図１４，図１９の横方向Ｈ、その反対の横方向Ｈ’にスライドする。
【００８２】
次に、上述の絞り操作部材１３の動作を図１、図１１乃至図２０を参照して説明する。まず、絞り操作部材１３は突出部２０３ａが図１，図１９の上方位置でレンズ付きフィルムユニット１００のスライド部材１４０が図１２のように絞り孔１３ｂによる小絞り状態の位置にある。このとき切換リング２０２は図１７の位置にある。
【００８３】
次に、突出部２０３ａを操作し回動操作部２０３とともに回動方向Ｒに回動させると、図１７の切換リング２０２も回動方向ｒに回動し、係止凸部２０６ｂ，２０７ｂと係止凹部２６ａ、２６ｂとの係合が解かれ、切り欠き部２１０による遊び部を通過した後、回動ホルダ２０１の略扇形状部２０７が台座部２０２ｃに当接することで係合棒２０２ａが回動方向ｒに回動する。このように係合棒２０２ａがスライド部材１４０の係合穴４ｂ内で回動すると、スライド部材１４０が図１４，図１９の横方向Ｈに直線移動する。
【００８４】
このようにしてスライド部材１４０が図１２において横方向Ｈに移動すると、絞り切換部１１３はねじりコイルばね１０４の付勢力に抗して反時計方向に回動し、略中央の回動位置のデットポイントで付勢方向が反転し、その後はねじりコイルばね１０４の付勢力によって反時計方向に回動し、図１３のように絞り孔１３ａに切り換わり大絞りとなる。
【００８５】
上述のように、回動操作部２０３の突出部２０３ａの回動操作で回動ホルダ２０１が切換リング２０２の係合棒２０２ａを回動させる途中においてレンズ付きフィルムユニット１００側の絞り切換部１１３がデットポイントを過ぎるので、係合棒２０２ａの回動によらずにねじりコイルばね１０４の付勢力により大絞りに切り換わる。このようにしてスライド部材１４０による大絞りへの切り換えが円滑にかつ確実に行うことができる。
【００８６】
そして、突出部２０３ａを更に回動操作部２０３とともに回動方向Ｒに回動させ、１８０度回動すると、回動操作部２０３の突出部２０３ａが図１の破線のように下方位置に位置し、カメラの下方面を向くので、例えば水中で使用する場合に、突出部２０３ａが下方面にあることを使用者が手触りで分かり、絞りの位置（大絞りの状態）を簡単に確認できる。また、このとき、切換リング２０２の係合棒２０２ａは図１７の破線の位置に移動し、回動ホルダ２０１の係止凸部２０７ｂ，２０６ｂが防水ケース１０側の係止凹部２６ａ、２６ｂに係合し係止されるが、これにより、大絞りの位置で絞り操作部材１３の不測な回動を防止でき、また、係合時にクリック感を得ることができ、操作感のよいものとなる。
【００８７】
なお、突出部２０３ａを図１の破線の状態から反対の方向に回動させることで、上述と反対の動作で、スライド部材１４０が図１３の横方向Ｈ’に移動し、絞り切換部１１３はねじりコイルばね１０４の付勢力に抗して時計方向に回動し、略中央の回動位置のデットポイントで付勢方向が反転し、その後はねじりコイルばね１０４の付勢力によって時計方向に回動し、図１２のように絞り孔１３ｂに切り換わり小絞り状態となる。
【００８８】
また、スライド部材１４０を図１３のように絞り孔１３ａに切り換えて大絞りとすることで、水中撮影において露出不足になるのを防止できる。即ち、水中撮影では、水深が深くなるにつれ太陽光が届かなくなったり、曇りや雨の日は水深が浅くても、露出不足となり易く、また快晴でも１０ｍを超えると露出不足になり易いが、かかる露出不足を防止できる。また、図１２のように、絞り孔１３ｂに切り換えて小絞りとすることで、陸上撮影では特に晴天時の露出オーバを防止できる。
【００８９】
また、一般的に水中では色の吸収が大きいため被写体の本来の色を写すことが難しいが、水中撮影でストロボを使用することにより被写体の本来の色を写すことができる。
【００９０】
また、防水ケース１０を構成する材料としては、ＰＳあるいはＡＳを用いることができる。また、ＰＳは日焼け止め溶液や日焼け止めクリーム等で曇りが発生することがあるので曇りが発生しないＡＳとするのが望ましい。
【００９１】
また、外側部材５１、６１を構成する材料は、強度が強いＡＢＳとするのが望ましい。また、外側部材５１、６１は透明で有る必要はなく、適宜の色に着色してもよい。
【００９２】
以上のように本発明を実施の形態により説明したが、本発明はこれらに限定されるものではなく、本発明の技術的思想の範囲内で各種の変形が可能である。例えば、防水ケース１０内にはカメラを収容するように構成できる。
【００９３】
また、本実施の形態では、レンズ付きフィルムユニット１００のスライド部材１４０は、絞り切換部材とストロボスイッチ部材とを兼用する構成としたが、絞り切換部材とストロボスイッチ部材とのいずれか一方を操作するものであってもよいことは勿論であり、防水ケース１０において同様の構造で操作可能である。
【００９４】
【発明の効果】
本発明によれば、防水ケース内に収容されるカメラまたはレンズ付きフィルムユニットの絞り切換部材またはストロボのオンオフスイッチ部材を操作できるカメラ用防水ケース及び防水カメラを提供できる。また、絞り切換部材またはストロボのオンオフスイッチ部材の切換の操作感がよく簡単な構造であるカメラ用防水ケース及び防水カメラを提供できる。
【図面の簡単な説明】
【図１】本実施の形態による、レンズ付きフィルムユニットを収容するカメラ用防水ケースを示す斜視図である。
【図２】図１のカメラ用防水ケースを外側部材が離れた状態で示す前面側から見た分解斜視図である。
【図３】図２と同じく背面側から見た分解斜視図である。
【図４】図１の防水ケースの第１ケースを内面側から見た図である。
【図５】図１の防水ケースの第２ケースを内面側から見た図である。
【図６】図４の第１ケースと図５の第２ケースとを結合したときの結合部の断面図である。
【図７】図１乃至図３の第２外側部材６１の第２係合部６３を示す部分斜視図である。
【図８】図１の係合部６０の係合状態を縦方向に切断し内面側から見た図である。
【図９】図１乃至図３の防水ケースを第１のケース前面側から見た部分斜視図である。
【図１０】図１のように外側部材を防水ケースに取付けたときの要部断面図である。
【図１１】図１乃至図３の防水ケースに収容可能なレンズ付きフィルムユニットを前面側から見た分解斜視図である。
【図１２】図１１のレンズ付きフィルムユニットにおいて小絞りの状態を示す正面図である。
【図１３】図１１のレンズ付きフィルムユニットにおいて大絞りの状態を示す正面図である。
【図１４】図１１のレンズ付きフィルムユニットのスライド部材を前面側から見た要部斜視図である。
【図１５】図１１のレンズ付きフィルムユニットのシャッタユニットの分解斜視図である。
【図１６】図１乃至図３の絞り操作部材１３を背面側から見た斜視図である。
【図１７】図１６の絞り操作部材１３を防水ケース１０の第１ケース２１に取り付けた状態を内面側から見た要部斜視図である。
【図１８】図１７の取り付け状態を防水ケースの縦方向に切断した要部断面図である。
【図１９】図１７の取り付け状態で絞り操作部材１３と図１１乃至図１４のスライド部材との取り付け関係を前面側から見た斜視図である。
【図２０】図１９と同じく背面側から見た斜視図である。
【符号の説明】
１・・・カメラ用防水ケース
１０・・・防水ケース
１２・・・フィルム巻き上げノブ
１３・・・絞り操作部材
１４・・・シャッタ操作部材
２０・・・結合部
２１・・・第１ケース
２２・・・第２ケース
２３・・・鍔部
２４・・・凸部
２７・・・鍔部
２８・・・溝
３０・・・水密部材
５１・・・第１外側部材
５２・・・溝部
５３・・・第１係合部
６０・・・係合部
６１・・・第２外側部材
６２・・・溝部
６３・・・第２係合部
３１，３２，３３，３４・・・案内溝
７１，７２，７３，７４・・・案内凸部
１００・・・レンズ付きフィルムユニット
１１３・・・絞り切換部
１０４・・・ねじりコイルばね
１４０・・・スライド部材（絞り切換部材）
２０３・・・回動操作部
２０３ａ・・・突出部
【図１】
2004163632.tif 000003
【図２】
2004163632.tif 000004
【図３】
2004163632.tif 000005
【図４】
2004163632.tif 000006
【図５】
2004163632.tif 000007
【図６】
2004163632.tif 000008
【図７】
2004163632.tif 000009
【図８】
2004163632.tif 000010
【図９】
2004163632.tif 000011
【図１０】
2004163632.tif 000012
【図１１】
2004163632.tif 000013
【図１２】
2004163632.tif 000014
【図１３】
2004163632.tif 000015
【図１４】
2004163632.tif 000016
【図１５】
2004163632.tif 000017
【図１６】
2004163632.tif 000018
【図１７】
2004163632.tif 000019
【図１８】
2004163632.tif 000020
【図１９】
2004163632.tif 000021
【図２０】
2004163632.tif 000022